(57)【要約】【課題】仮想通貨におけるマイニングのための処理を実施するマイニング装置を、安定して稼働させることが可能な技術を提供する。【解決手段】パチンコ遊技場に設けられる遊技機としてのパチンコ機３は、マイニング装置としてのマイニングマシンが着脱可能に装着される装着部２２を備える。装着部２２には、マイニングマシンに設けられた複数のフック部が挿入されて引っかけられる複数の装着穴３１が設けられている。また、パチンコ機３は、マイニングマシンの通信ポートに接続されることにより、マイニングマシンを通信ネットワークに接続する通信コネクタ２９と、マイニングマシンにおいて電力を受けるために設けられているコネクタに接続されることにより、マイニングマシンに電力を供給する電源コネクタ２６と、を備える。【選択図】図２
2020075033.tif 000002
【特許請求の範囲】
【請求項１】
パチンコ遊技場に設けられる遊技機であって、
仮想通貨におけるマイニングのための処理を実施するマイニング装置が、着脱可能に装着される装着部、を備える、
遊技機。
【請求項２】
請求項１に記載の遊技機であって、
前記マイニング装置の通信ポートに接続されることにより、前記マイニング装置を当該遊技機の外部の通信ネットワークに接続する通信コネクタと、
前記マイニング装置において電力を受けるために設けられているコネクタに接続されることにより、前記マイニング装置に電力を供給する電源コネクタと、を備える、
遊技機。
【請求項３】
仮想通貨におけるマイニングのための処理を実施するマイニング装置であって、
請求項１又は請求項２に記載の遊技機に備えられた前記装着部に、当該マイニング装置が着脱可能に装着されるための装置側装着部、を備える、
マイニング装置。
【請求項４】
パチンコ遊技場に設けられる遊技機であって、
仮想通貨におけるマイニングのための処理を実施するマイニング装置の通信ポートに接続されることにより、前記マイニング装置を当該遊技機の外部の通信ネットワークに接続する通信コネクタと、
前記マイニング装置において電力を受けるために設けられているコネクタに接続されることにより、前記マイニング装置に電力を供給する電源コネクタと、を備える、
遊技機。
【発明の詳細な説明】
【技術分野】
【０００１】
本開示は、遊技機及びマイニング装置に関する。
【背景技術】
【０００２】
例えば、下記特許文献１には、複数の遊技機が設けられたパチンコ遊技場が記載されている。また、法定通貨に代わる通貨として、仮想通貨を利用した商品の取引が普及してきている。例えば、下記特許文献２には、仮想通貨におけるマイニング（即ち、採掘）のための処理と、その処理を実施する端末とが、記載されている。仮想通貨におけるマイニング（以下、仮想通貨マイニングとも言う）は、仮想通貨の取引を承認するための計算作業のことである。
【先行技術文献】
【特許文献】
【０００３】
【特許文献１】特開２００８−２４６１９８号公報
【特許文献２】特許第６３４５８７１号公報
【発明の概要】
【発明が解決しようとする課題】
【０００４】
発明者の詳細な検討の結果、仮想通貨マイニングのための処理を実施するマイニング装置を安定して稼働させるのに適した技術がない、という課題が見出された。
そこで、本開示の一局面は、マイニング装置を安定して稼働させることが可能な技術を提供する。
【課題を解決するための手段】
【０００５】
本開示の一態様による遊技機は、パチンコ遊技場に設けられる遊技機であり、装着部を備える。この装着部には、仮想通貨におけるマイニングのための処理を実施するマイニング装置が、着脱可能に装着される。
【０００６】
このような遊技機によれば、マイニング装置を、当該遊技機が設けられるパチンコ遊技場で稼働させることができる。マイニング装置は、処理を実施するために、多くの電力を消費すると共に、多くの熱を発する傾向にあるが、パチンコ遊技場では、電力も十分に確保でき、空調も完備されている。このため、マイニング装置への安定した電力供給がし易く、マイニング装置の過熱も回避し易い。
【０００７】
よって、この遊技機によれば、マイニング装置を安定して稼働させることができる。また、冬季においては、マイニング装置の発熱により、パチンコ遊技場内の暖房効果を高める効果も期待される。また一般に、パチンコ遊技場では、管理者が常駐していたり、セキュリティ設備が設けられていたりするので、マイニング装置の盗難等に対する安全面でも好ましい。
【０００８】
また、遊技機にマイニング装置が装着されるため、パチンコ遊技場におけるマイニング装置の設置場所が必然的に定まることになる。よって、パチンコ遊技場におけるマイニング装置のメンテナンスや管理が容易になる。
【０００９】
また、パチンコ遊技場において、遊技機が異なる機種に交換される場合に、交換される新たな遊技機も装着部を備えるならば、マイニング装置を簡単に付け直すことができる。つまり、パチンコ遊技場における遊技機の入れ替えに対して、容易に対応することができる。
【００１０】
本開示の一態様による遊技機は、マイニング装置の通信ポートに接続されることにより、マイニング装置を当該遊技機の外部の通信ネットワークに接続する通信コネクタと、マイニング装置において電力を受けるために設けられているコネクタに接続されることにより、マイニング装置に電力を供給する電源コネクタと、を備えても良い。
【００１１】
このような構成によれば、パチンコ遊技場における特定の場所に、上記通信コネクタ及び電源コネクタを別途設けなくても良く、マイニング装置に電力を供給することと、マイニング装置を通信ネットワークに接続することとを、簡単に実現することができる。
【００１２】
また、本開示の一態様によるマイニング装置は、仮想通貨におけるマイニングのための処理を実施する装置であり、装置側装着部を備える。この装置側装着部は、上記遊技機に備えられた装着部に、当該マイニング装置が着脱可能に装着されるための部分である。このようなマイニング装置によれば、遊技機への当該マイニング装置の装着を、遊技機側の装着部だけでなく、その装着部と装置側装着部との双方の結合によって実現することができる。よって、遊技機側の装着部の構成や構造を簡単なものにし易い、という効果が得られる。
【００１３】
また、本開示の他の一態様による遊技機も、パチンコ遊技場に設けられる遊技機であり、上記通信コネクタ及び電源コネクタを備える。
このような遊技機によっても、マイニング装置を、当該遊技機が設けられるパチンコ遊技場で稼働させることができる。よって、前述した一態様による遊技機と概ね同様の効果を奏する。そして、遊技場における特定の場所に、上記通信コネクタ及び電源コネクタを別途設けなくても良く、マイニング装置に電力を供給することと、マイニング装置を通信ネットワークに接続することとを、簡単に実現することができる。
【図面の簡単な説明】
【００１４】
【図１】実施形態の遊技場の全体平面略図である。
【図２】実施形態のパチンコ機の裏側を表す図である。
【図３】実施形態のマイニングマシンの概略斜視図である。
【図４】実施形態のパチンコ機にマイニングマシンが装着された状態を表す図である。
【図５】他の実施形態を説明する説明図である。
【発明を実施するための形態】
【００１５】
以下、図面を参照しながら、本開示の実施形態を説明する。
［１．パチンコ遊技場の構成］
図１に示すように、パチンコ遊技場１には、複数のパチンコ島台２が並列に設置されている。パチンコ遊技場１は、いわゆるパチンコ店である。そして、パチンコ島台２の各々には、その長手方向に、複数の遊技機としてパチンコ機３が列設されている。パチンコ島台２における複数のパチンコ機３は、２つずつが裏側を向かい合わせにした状態で設けられている。また、パチンコ遊技場１において、パチンコ島台２同士の間及びパチンコ島台２と当該パチンコ遊技場１の壁面との間には、通路４が形成されている。更に、通路４において、各パチンコ機３に対向する位置には、パチンコ機３の遊技者が着座する遊技機用椅子（以下単に、椅子と言う）５がそれぞれ備えられている。パチンコ島台２同士の間の通路４では、各パチンコ島台２に対応する椅子５同士の間のスペースが、人が移動するための実際の通路となる。尚、図１に示されるパチンコ島台２、パチンコ機３及び椅子５の数は、一例である。
【００１６】
［２．パチンコ機の構成］
図２に示すように、パチンコ機３の裏側において、当該パチンコ機３の外枠１１に収納された内枠１２には、遊技球（即ち、パチンコ球）を貯留する球タンク１３、タンクレール１４及び払出ユニット１５が設けられている。そして、払出ユニット１５の中には、払出装置が設けられている。そして、パチンコ機３の表側にある遊技盤の入賞口に遊技球が入賞すると、球タンク１３に貯留されている所定個数の賞球としての遊技球が、上記払出装置から払い出されて、パチンコ機３の表側にある上皿に払い出される。
【００１７】
また、パチンコ機３の裏側には、当該パチンコ機３を制御する制御装置１６と、電源装置１７と、外部接続端子盤１８と、が設けられている。
電源装置１７は、パチンコ機３の電源プラグ１９から入力される商用交流電源から、当該パチンコ機３が動作するための直流電源を生成して、当該パチンコ機３内の各部に供給する。また、外部接続端子盤１８により、当該パチンコ機３の遊技状態や遊技結果を示す信号が、図示しないホールコンピュータへ送られる。
【００１８】
更に、パチンコ機３の裏側において、例えば内枠１２には、仮想通貨マイニングのための処理（以下、マイニング処理）を実施するマイニングマシン２１（図３参照）が着脱可能に装着されるように構成された、装着部２２が取り付けられている。装着部２２は、板状に形成されていると共に、後述する穴２５，２７及び装着穴３１を備える。また、パチンコ機３には、マイニングマシン２１に電力を供給するための電源装置２３が備えられている。マイニングマシン２１及びマイニング処理については、後で説明する。
【００１９】
電源装置２３は、上記電源プラグ１９から入力される商用交流電源から、マイニングマシン２１が動作するための直流電源を生成して、複数の電源線２４に出力する。電源装置２３から伸びた複数の電源線２４は、装着部２２に設けられた穴２５からパチンコ機３の外側に出ている。そして、複数の電源線２４の先端には、マイニングマシン２１に電力を供給するための複数の電源コネクタ２６が設けられている。
【００２０】
また、装着部２２に設けられた他の穴２７からパチンコ機３の外側には、マイニングマシン２１をパチンコ機３の外部の通信ネットワークに接続するための通信ケーブル２８が出ている。そして、通信ケーブル２８の先端には、マイニングマシン２１の後述する通信ポート４０（図３参照）に接続される通信コネクタ２９が設けられている。
【００２１】
例えば、マイニングマシン２１が接続される通信ネットワークは、インターネットであり、通信ケーブル２８は、ＬＡＮケーブルである。ＬＡＮは、ローカルエリアネットワークの略である。通信ケーブル２８の通信コネクタ２９とは反対側は、例えば、パチンコ機３の外部接続端子盤１８を介して、パチンコ遊技場１に設けられたネットワーク機器に接続される。そして、そのネットワーク機器と通信ケーブル２８を介してマイニングマシン２１がインターネットに接続されるようになっている。ネットワーク機器は、例えばルータやモデムやＯＮＵ（即ち、光回線終端装置）等である。尚、通信ネットワークは、インターネットに限らず、仮想通貨システムの専用ネットワークであっても良い。
【００２２】
そして、装着部２２において、穴２５，２６よりも下方の位置には、マイニングマシン２１を着脱可能に取り付けるための複数の装着穴３１が備えられている。装着穴３１は、本実施形態では四角形状の穴である。装着穴３１の数は、本実施形態では４つであるが、４つ以外でも良い。
【００２３】
［３．マイニングマシンの構成］
図３に示すように、マイニングマシン２１は、直方体状の筐体３５と、少なくとも１つの回路基板３６と、を備える。回路基板３６の数は、本実施形態では４つであるが、４つ以外の複数でも良いし、１つでも良い。尚、以下の説明において、上下の方向は、図２及び図３における上下の方向である。
【００２４】
回路基板３６には、マイニング処理を実施するための電子回路の一部又は全部が形成されている。回路基板３６の大部分は、筐体３５内に入っているが、回路基板３６の上端部分は、筐体３５の上側面に形成された長方形状の穴３７から、筐体３５の外部に露出している。そして、回路基板３６において、筐体３５から露出した上端部分には、電力を受けるためのコネクタ３８が設けられている。このコネクタ３８と、パチンコ機３側の電源コネクタ２６は、着脱可能に勘合するように構成されている。尚、複数の回路基板３６同士が信号ケーブルによって接続される場合もある。
【００２５】
また、筐体３５の上側面には、直方体状の凸部３９が設けられている。そして、凸部３９には、当該マイニングマシン２１が通信ネットワーク上の他の装置と通信するための通信ポート４０が設けられている。この通信ポート４０と、パチンコ機３側の通信コネクタ２９は、着脱可能に勘合するように構成されている。また、通信ポート４０は、筐体３５の面のうち、図３における手前の面の方から、通信コネクタ２９が差し込まれるように設けられている。尚、マイニングマシン２１が他の装置と通信するとは、マイニングマシン２１に備えられた電子回路であって、例えば回路基板３６又は筐体３５内の他の回路基板に形成された電子回路が、他の装置と通信する、ということである。また、通信ポート４０は、本実施形態ではＬＡＮポートであるが、ＵＳＢポート等の他の種類の通信ポートでも良い。
【００２６】
また、筐体３５の面のうち、当該筐体３５の長手方向の両端面に相当する２つの各面には、筐体３５内を冷却するためのファン４１，４２が設けられている。そして、マイニングマシン２１においては、回路基板３６だけでなく、回路基板３６以外の回路基板及びファン４１，４２にも、コネクタ３８を介して電力が供給されるようになっている。つまり、マイニングマシン２１が動作するための電力は、コネクタ３８を介して供給される。
【００２７】
更に、筐体３５において、図３における手前の面には、パチンコ機３の装着部２２における各装着穴３１に挿入されることで、その各装着穴３１に引っかかる複数のフック部４３が備えられている。フック部４３の数は、装着穴３１の数と同じで良い。
【００２８】
［４．作用］
マイニングマシン２１に備えられた各フック部４３を、パチンコ機３の装着部２２における各装着穴３１に挿入して引っかけることにより、図４に示すように、マイニングマシン２１をパチンコ機３の装着部２２に装着することができる。
【００２９】
そして、パチンコ機３側の電源コネクタ２６をマイニングマシン２１側のコネクタ３８に差し込んで勘合させることで、電源コネクタ２６の端子（図示省略）とコネクタ３８の端子３８ａ（図３参照）とが接続して、パチンコ機３からマイニングマシン２１に動作用の電力が供給される。更に、パチンコ機３側の通信コネクタ２９をマイニングマシン２１側の通信ポート４０に差し込んで勘合させることにより、通信コネクタ２９の端子（図示省略）と通信ポート４０の端子４０ａ（図３参照）とが接続して、マイニングマシン２１が通信ネットワークに接続される。
【００３０】
このため、マイニングマシン２１を、パチンコ機３に装着された状態で稼働させることができる。尚、電源コネクタ２６及び通信コネクタ２９の勘合作業は、マイニングマシン２１をパチンコ機３の装着部２２に装着する前に実施されても良い。
【００３１】
また、マイニングマシン２１側のコネクタ３８から電源コネクタ２６を取り外すと共に、マイニングマシン２１側の通信ポート４０から通信コネクタ２９を取り外し、更に、マイニングマシン２１を図４において上方向に持ち上げれば、各フック部４３が各装着穴３１から外れる。このため、マイニングマシン２１をパチンコ機３から取り外すことができる。尚、電源コネクタ２６及び通信コネクタ２９の取り外し作業は、マイニングマシン２１をパチンコ機３の装着部２２から外した後に実施されても良い。
【００３２】
［５．マイニングマシンで実施されるマイニング処理］
仮想通貨には、ブロックチェーンと呼ばれる技術が使用されており、その取引において、ハッシュ関数と公開鍵暗号方式とを用いることで、トランザクションの信頼性や安全性を担保している。ここで言うトランザクションとは、仮想通貨の取引の内容を示す取引情報のことである。
【００３３】
暗号技術を用いて生成されたトランザクションは、マイニング処理を行う端末（以下、マイナ端末と言う）の全てに対して、通信ネットワークを介しブロードキャストされる。ここで言うマイナ端末の中に、マイニングマシン２１が含まれる。送信されたトランザクションは、マイナ端末によって署名の検証がなされ、検証の結果、問題がなければ、ブロックに取り入れられる候補となる。マイナ端末は、ブロックを作成するが、ブロックのハッシュ値が、予め定められた所定条件を満たせば、そのブロックがマイナ端末からブロードキャストされ、ブロックチェーンに追加される。新規のトランザクションはブロックチェーンに追加されることで承認されることになる。
【００３４】
ここで、ブロックチェーンのブロックには、複数のトランザクションと、当該ブロックの一つ前のブロックのハッシュ値と、ブロックに対して求められる条件を満たす適切なナンス値とが、少なくとも格納されている。
【００３５】
そして、マイナ端末は、ブロックチェーンにブロックを追加する場合には、追加しようとする作成中のブロックに、通信ネットワークを介して収集した複数のトランザクションと、ブロックチェーンにおける現在末尾のブロックのハッシュ値と、任意のナンス値とを格納する。
【００３６】
更に、マイナ端末は、作成中のブロックに対して、ハッシュ関数を適用した場合のハッシュ値を計算し、計算したハッシュ値が所定条件を満たす値となるまで、作成中のブロックに格納するナンス値を変更して上記ハッシュ値の計算を繰り返す。尚、上記所定条件は、例えば、所定値以下、という条件である。
【００３７】
このように、新規のトランザクションを含むブロックのハッシュ値、即ち、ブロックチェーンに追加しようとするブロックのハッシュ値を計算して、そのハッシュ値が所定条件を満たすようになるナンス値（以下、目的のナンス値と言う）を探索するための計算処理が、マイニング処理である。
【００３８】
他のマイナ端末に先駆けて目的のナンス値を発見するためには膨大な計算量が必要であり、この計算量が膨大であることがブロックチェーンの内容の安全性、延いては、仮想通貨の安全性を担保する根拠となっている。また、仮想通貨のシステムでは、他のマイナ端末に先駆けて目的のナンス値を発見したマイナ端末の管理者、即ち、取引の承認に成功（いわゆるマイニングに成功）した者には、仮想通貨による所定額の報酬が与えられる。尚、マイニング処理に関しては、便宜上、マイニング（即ち、採掘）という一般的な言葉を使っているが、報酬の内容や報酬の有無を含むものではない。マイニング処理は、具体的例として前述の計算処理であるが、言い換えると、仮想通貨の取引（即ち、トランザクション）を承認するための処理であり、更に言い換えると、情報が格納されるブロックチェーンに新たなブロックを追加するための承認処理であると言える。
【００３９】
［６．効果］
以上詳述した実施形態によれば、以下の効果を奏する。尚、上記実施形態では、マイニングマシン２１がマイニング装置に相当し、マイニングマシン２１に備えられたフック部４３が、装置側装着部に相当する。
【００４０】
（６ａ）パチンコ遊技場１に設けられるパチンコ機３は、マイニングマシン２１が着脱可能に装着される装着部２２を備える。
このため、マイニングマシン２１を、当該パチンコ機３が設けられるパチンコ遊技場１で稼働させることができる。マイニングマシン２１は、マイニング処理を実施するために、多くの電力を消費すると共に、多くの熱を発する傾向にあるが、パチンコ遊技場１では、電力も十分に確保でき、空調（特に冷房）も完備されている。このため、マイニングマシン２１への安定した電力供給がし易く、マイニングマシン２１の過熱も回避し易い。
【００４１】
よって、パチンコ機３によれば、マイニングマシン２１を安定して稼働させることができる。また、冬季においては、マイニングマシン２１の発熱により、パチンコ遊技場１内の暖房効果を高める効果も期待される。また一般に、パチンコ遊技場１では、管理者が常駐していたり、セキュリティ設備が設けられていたりするので、マイニングマシン２１の盗難等に対する安全面でも好ましい。
【００４２】
（６ｂ）パチンコ機３にマイニングマシン２１が装着されるため、パチンコ遊技場１におけるマイニングマシン２１の設置場所が必然的に定まることになる。よって、パチンコ遊技場１におけるマイニングマシン２１のメンテナンスや管理が容易になる。また、パチンコ遊技場１において、パチンコ機３が異なる機種に交換される場合に、交換される新たなパチンコ機３も装着部２２を備えるならば、マイニングマシン２１を簡単に付け直すことができる。つまり、パチンコ遊技場１におけるパチンコ機３の入れ替えに対して、容易に対応することができる。
【００４３】
（６ｃ）パチンコ機３は、マイニングマシン２１の通信ポート４０に接続されることにより、マイニングマシン２１を通信ネットワークに接続する通信コネクタ２９と、マイニングマシン２１において電力を受けるために設けられているコネクタ３８に接続されることにより、マイニングマシン２１に電力を供給する電源コネクタ２６と、を備える。
【００４４】
このため、パチンコ遊技場１における特定の場所に、上記通信コネクタ２９及び電源コネクタ２６を別途設けなくても良く、マイニングマシン２１に電力を供給することと、マイニングマシン２１を通信ネットワークに接続することとを、簡単に実現することができる。
【００４５】
（６ｄ）マイニングマシン２１は、パチンコ機３に備えられた装着部２２に、当該マイニングマシン２１が着脱可能に装着されるための装置側装着部として、フック部４３を備える。このようなマイニングマシン２１によれば、パチンコ機３側の装着部２２の構成や構造を簡単なものにし易い。
【００４６】
（６ｅ）パチンコ遊技場１では、マイニングマシン２１の稼働による仮想通貨の報酬、詳しくは目的のナンス値を発見して新たなブロックがブロックチェーンに追加された場合の報酬が、収入源として期待できる。よって、パチンコ遊技場１にとっては、マイニングマシン２１の稼働によって得られる前述の報酬を、例えば電力供給設備などの費用にあてることができる。また、上記報酬の実績値あるいは予想値と、マイニングマシン２１を稼働させるのに必要な経費（例えば電気料金）とに基づいて、マイニングマシン２１の稼働による利益が無いあるいは見込めないと判定したなら、マイニングマシン２１の稼働を停止させるように構成された制御装置を設けても良い。
【００４７】
（６ｆ）マイニングマシン２１をパチンコ遊技場１で稼働させることができるため、例えば、パチンコ遊技場１での所定期間における使用電力量の変動を抑制させ易い。
例えば、パチンコ遊技場１の営業中は、パチンコ機３とマイニングマシン２１とのうち、パチンコ機３の方を稼働させ、パチンコ遊技場１の閉店中は、マイニングマシン２１の方を稼働させるようにする制御装置を設ければ、１日における使用電力量の変動を抑制させ易い。このような構成により、パチンコ遊技場１にとっては、電気料金が安価に設定された所定の深夜時間帯の電力（即ち、深夜電力）を利用して、マイニングマシン２１を稼働させることができる。また、電力会社にとっても、パチンコ遊技場１での一日における使用電力量の変動が抑制されれば、給電計画を立案し易くなるという利点がある。また例えば、パチンコ機３が遊技者に使用されていないと判定している場合に、そのパチンコ機３に対応するマイニングマシン２１を稼働させるように構成された制御装置を設けても良い。パチンコ機３が使用されているか否かは、例えば、パチンコ機３における遊技球の発射装置が操作されているか否かによって判定されたり、パチンコ機３に対応する椅子５に人が座っているか否かによって判定されたりして良い。
【００４８】
［７．他の実施形態］
以上、本開示の実施形態について説明したが、本開示は上述の実施形態に限定されることなく、種々変形して実施することができる。
【００４９】
例えば、パチンコ機３の構成として、装着部２２を備えず、通信ケーブル２８及び通信コネクタ２９と、電源線２４及び電源コネクタ２６とを備える、という構成でも良い。このような構成でも、上記（６ａ）、（６ｃ）、（６ｅ）及び（６ｆ）で述べた効果が得られる。
【００５０】
また、遊技機としては、パチンコ機に限らず、例えばスロットマシンでも良い。また、遊技機は、ゲームセンタ等、パチンコ遊技場以外の遊技場における遊技機であっても良い。
また、マイニングマシン２１の構成として、例えば、ファン４１，４２の電力がコネクタ３８とは別のコネクタを介して供給されるようになっていても良い。この場合、パチンコ機３には、上記別のコネクタに接続される電力供給用の電源コネクタ及び電源線を設ければ良い。
【００５１】
また、パチンコ機３に備えられる装着部２２としては、マイニングマシン２１が着脱可能なものであれば、どのようなものでも良く、例えば、マイニングマシン２１の筐体３５の一部を囲んで保持するような構成であっても良い。また、マイニングマシン２１において、受電用のコネクタ３８と通信ポート４０が同じ向きに設けられているならば、パチンコ機３の装着部２２に電源コネクタ２６及び通信コネクタ２９が固定されていて、マイニングマシン２１が装着部２２に取り付けられるのと同時に、電源コネクタ２６及び通信コネクタ２９がマイニングマシン２１のコネクタ３８及び通信ポート４０に接続される、という構成になっていても良い。
また、マイニングマシン２１は、筐体３５を備えない形態であっても良い。例えば、図５に示すように、マイニングマシン２１は、マイニング処理を含む各処理を実施するための電子回路２１ａが搭載された回路基板２１ｂの形態であっても良い。この場合、冷却用のファンは、回路基板２１ｂに搭載されても良いし、パチンコ機３側に設けられても良い。図５の例では、マイニングマシン２１を成す回路基板２１ｂに設けられた受電用のコネクタ３８と、通信ポートとしてのコネクタ４５とが、パチンコ機３における所定の回路基板４６に設けられている電源コネクタ２６及び通信コネクタ２９と勘合することで、マイニングマシン２１がパチンコ機３に装着される。この例では、パチンコ機３側の電源コネクタ２６と通信コネクタ２９が、装着部に該当すると言える。また例えば、図５の例において、電源コネクタ２６と接続されるマイニングマシン２１側のコネクタ３８は、端子だけの構成であっても良く、同様に、通信コネクタ２９と接続されるマイニングマシン２１側のコネクタ４５（即ち、通信ポート）は、端子だけの構成であっても良い。また逆に、パチンコ機３側の電源コネクタ２６と通信コネクタ２９との両方又は一方が、ハウジングを備えない端子だけの構成であっても良い。
【００５２】
一方、マイニング装置としては、マイニング処理を実施するためのソフトウェアがインストールされたパーソナルコンピュータやタブレット型コンピュータ等の汎用コンピュータであっても良い。
【００５３】
また、パチンコ遊技場１でのマイニングマシン２１の稼働による仮想通貨の報酬を、例えば、当該パチンコ遊技場１における賞品として、あるいは、他のパチンコ遊技場における賞品として、あるいは、他の賭け事やイベントの賞品として、使用する賞品提供システム（賞品提供装置）があっても良い。他の賭け事としては、例えば、競馬、競艇、競輪、オートレースといった公営競技（いわゆる公営ギャンブル）や、宝くじ、ｔｏｔｏ等の公営くじや、ルーレットやトランプゲームやスロットマシン（ジャックポット付きのスロットマシンを含む）等のいわゆるカジノゲームであって良い。カジノゲームには、オンラインカジノ（ネットカジノとも呼ばれる）のゲームが含まれて良い。公営くじは公営ギャンブルの１つであるとも言える。また、イベントとしては、公営くじ以外のくじや、クイズ大会等であって良い。この場合、賞品提供システムは、例えば、各マイニングマシン２１の稼働によって得られた報酬としての仮想通貨を所定の口座（即ち、ウォレット）に蓄える蓄積部と、賞品提供対象の端末からの賞品要求を受けると、その賞品要求によって指示された量の仮想通貨を上記口座から上記賞品要求により指定された口座（即ち、仮想通貨アドレス）へ送金する処理を行う送金部と、を備える構成として良い。そして、賞品提供対象の端末は、例えば他のパチンコ遊技場や他の賭け事やイベントを管理する管理者の端末で良い。また、パチンコ遊技場１における遊技者の仮想通貨アドレスへ、上記賞品として仮想通貨が送金される場合、遊技者が賞品として得た仮想通貨のうち、遊技者が指定する量の仮想通貨を、次の遊技のための遊技媒体（例えば、遊技球やメダル）に換えることが可能な球貸装置が、パチンコ遊技場１に設置されても良い。
【００５４】
また、上記実施形態における１つの構成要素が有する複数の機能を、複数の構成要素によって実現したり、１つの構成要素が有する１つの機能を、複数の構成要素によって実現したりしても良い。また、複数の構成要素が有する複数の機能を、１つの構成要素によって実現したり、複数の構成要素によって実現される１つの機能を、１つの構成要素によって実現したりしても良い。また、上記実施形態の構成の一部を省略しても良い。
【符号の説明】
【００５５】
１…パチンコ遊技場、２…パチンコ島台、３…パチンコ機、４…通路、５…遊技機用椅子、１１…外枠、１２…内枠、１３…球タンク、１４…タンクレール、１５…払出ユニット、１６…制御装置、１７…電源装置、１８…外部接続端子盤、１９…電源プラグ、２１…マイニングマシン、２２…装着部、２３…電源装置、２４…電源線、２５…穴、２６…電源コネクタ、２７…穴、２８…通信ケーブル、２９…通信コネクタ、３１…装着穴、３５…筐体、３６…回路基板、３７…穴、３８…コネクタ、３９…凸部、４０…通信ポート、４１，４２…ファン、４３…フック部、３８ａ，４０ａ…端子、２１ａ…電子回路、２１ｂ，４６…回路基板。
【図１】
2020075033.tif 000003
【図２】
2020075033.tif 000004
【図３】
2020075033.tif 000005
【図４】
2020075033.tif 000006
【図５】
2020075033.tif 000007